(57)【要約】【課題】製造コストの増大や大型化を招くことなく、自動的に読取処理を開始可能な構成を提供する。【解決手段】読取口１２から当該読取口１２に近づけられた物体までの距離Ｌが第１の距離Ｌ１以下となる第１近接状態を検知する第１センサ５１と、読取口１２から上記物体までの距離が上記第１の距離Ｌ１よりも短い第２の距離Ｌ２以下となる第２近接状態を検知する第２センサ５２とが設けられている。そして、制御部２１にて制御される情報コード読取部３０を利用して、第１センサ５１にて第１近接状態が検知され、かつ、第２センサ５２が非検知である場合には、読取処理が行われ、第１センサ５１が非検知である場合、または、第２センサ５２にて第２近接状態が検知される場合には、読取処理が行われない。【選択図】図５
2020154920.tif 000002
【特許請求の範囲】
【請求項１】
情報コードを光学的に読み取る光学的情報読取装置であって、
前記情報コードからの反射光を取り込む読取口が一面に設けられる筐体と、
前記読取口から当該読取口に近づけられた物体までの距離が第１の距離以下となる第１近接状態を検知する第１センサと、
前記読取口から前記物体までの距離が前記第１の距離よりも短い第２の距離以下となる第２近接状態を検知する第２センサと、
前記読取口にかざされた前記情報コードを撮像して読み取る読取処理を行うための読取部と、
を備え、
前記読取部は、前記第１センサが前記第１近接状態を検知し、かつ、前記第２センサが非検知である場合に、前記読取処理を行い、前記第１センサが非検知である場合、または、前記第２センサが前記第２近接状態を検知する場合に、前記読取処理を行わないことを特徴とする光学的情報読取装置。
【請求項２】
前記筐体の外面のうち前記一面に対して反対側の面となる他面には、前記読取部により前記読取処理が行われる場合に所定の点灯状態となる発光部が設けられることを特徴とする請求項１に記載の光学的情報読取装置。
【発明の詳細な説明】
【技術分野】
【０００１】
本発明は、情報コード等を光学的に読み取る光学的情報読取装置に関するものである。
【背景技術】
【０００２】
現在、一次元コードや二次元コード等の情報コードを光学的に読み取る光学的情報読取装置が広く提供されており、その用途も多様化している。この種の読取装置は、一般的にトリガスイッチが設けられており、このトリガスイッチが押されたときに、読取動作が開始され、読取処理を行うようになっている。しかしながら、上述の一般的な読取装置のように、開始時にトリガスイッチを押すトリガ操作を必須とする構成では、作業者にトリガスイッチの押圧作業を必ず強いることになり、作業負担の増大、及び作業効率の低下を招いてしまうことになる。例えば、一日に何百回、何千回と読取作業を行う作業現場などでは、トリガ操作を何百回、何千回と行う必要があるため、作業者の指や手などには相当の負担が生じることになる。
【０００３】
このため、作業者が毎回トリガ操作を行う必要のない構成が望まれており、この要望に対応するための技術として、例えば、トリガ操作を要することなく常時読取動作を行なう連続トリガ方式が知られている。しかしながら、この連続トリガ方式では、情報コードに読取口を向けていない場合、例えば机面上に置いている場合であっても、情報コードを読み取り可能とするために常に読取装置の電源をオン状態で維持しなければならず、更に、照明手段や撮像手段を常時駆動し続けなければならないため、消費電力が増大してしまうといった問題があった。また、連続トリガ方式では、情報コードに向けるための照明光が常に照射されているため、その照射方向によっては、この照明光が作業者等に眩しさを与えてしまうといった問題もあった。
【０００４】
このような問題を解決する光学的情報読取装置に関する技術として、例えば、下記特許文献１に開示されるシンボル読取装置が知られている。このシンボル読取装置には、読取対象となるシンボルと読取口（シンボルを撮像するためのマーク読取り画像センサ）との距離を検出する距離センサが設けられている。そして、距離センサの検出結果に応じて、読取口とシンボルとの距離が読取り可能位置となったことが検出されると、トリガ発生回路からトリガ信号が出力されることで、撮像したシンボルを復元解読するデコード処理が開始される。これにより、シンボルが読取り位置にきた場合には、トリガ操作を要することなく、自動的にシンボルの画像データを復元解読するデコード処理を行なうことができる。
【先行技術文献】
【特許文献】
【０００５】
【特許文献１】特開平１１−３１２２１０号公報
【発明の概要】
【発明が解決しようとする課題】
【０００６】
ところで、上記特許文献１に採用される距離センサは、シンボルまでの距離をアナログデータとして出力するセンサであり、検知物体までの距離が所定距離以下となる状態を単に検知するような簡素で安価なセンサと比較すると、構造が複雑になるために大型化しやすく部品単価も高くなる。そうすると、上述のように検出物体までの距離データをアナログデータとして出力可能な距離センサを採用する光学的情報読取装置では、製造コストが増大するだけでなく、小型化が困難になるという問題がある。
【０００７】
本発明は、上述した課題を解決するためになされたものであり、その目的とするところは、製造コストの増大や大型化を招くことなく、自動的に読取処理を開始可能な構成を提供することにある。
【課題を解決するための手段】
【０００８】
上記目的を達成するため、特許請求の範囲の請求項１に記載の発明は、
情報コード（Ｃ）を光学的に読み取る光学的情報読取装置（１０）であって、
前記情報コードからの反射光を取り込む読取口（１２）が一面（１１ａ）に設けられる筐体（１１）と、
前記読取口から当該読取口に近づけられた物体までの距離（Ｌ）が第１の距離（Ｌ１）以下となる第１近接状態を検知する第１センサ（５１）と、
前記読取口から前記物体までの距離（Ｌ）が前記第１の距離よりも短い第２の距離（Ｌ２）以下となる第２近接状態を検知する第２センサ（５２）と、
前記読取口にかざされた前記情報コードを撮像して読み取る読取処理を行うための読取部（２１，３０）と、
を備え、
前記読取部は、前記第１センサが前記第１近接状態を検知し、かつ、前記第２センサが非検知である場合に、前記読取処理を行い、前記第１センサが非検知である場合、または、前記第２センサが前記第２近接状態を検知する場合に、前記読取処理を行わないことを特徴とする。
なお、上記各括弧内の符号は、後述する実施形態に記載の具体的手段との対応関係を示すものである。
【発明の効果】
【０００９】
請求項１の発明では、読取口から当該読取口に近づけられた物体までの距離が第１の距離以下となる第１近接状態を検知する第１センサと、読取口から上記物体までの距離が上記第１の距離よりも短い第２の距離以下となる第２近接状態を検知する第２センサとが設けられている。そして、読取部では、第１センサにて第１近接状態が検知され、かつ、第２センサが非検知である場合に、読取処理が行われ、第１センサが非検知である場合、または、第２センサにて第２近接状態が検知される場合には、読取処理が行われない。
【００１０】
これにより、情報コードまでの距離が第１の距離と第２の距離との間となるように（第１の距離以下であって第２の距離を超えるように）その情報コードに読取口を向けることで、トリガ操作等を要することなく、自動的に読取処理を開始することができる。特に、第１センサ及び第２センサとして、検知物体までの距離が所定距離以下となる状態を単に検知するような簡素で安価なセンサを採用することができる。したがって、製造コストの増大や大型化を招くことなく、自動的に読取処理を開始可能な光学的情報読取装置を実現することができる。
【００１１】
請求項２の発明では、筐体の外面のうち読取口が設けられる一面に対して反対側の面となる他面には、読取部により読取処理が行われる場合に所定の点灯状態となる発光部が設けられる。これにより、読取口を情報コードに向けている状態であっても、発光部の発光状態を見るだけで読取処理が行われているか否かについて容易に把握することができる。
【図面の簡単な説明】
【００１２】
【図１】第１実施形態に係る光学的情報読取装置の構成概要を示す説明図であり、図１（Ａ）は平面図を示し、図１（Ｂ）は側面図を示す。
【図２】図２（Ａ）は、図１の光学的情報読取装置の電気的構成を例示するブロック図であり、図２（Ｂ）は、図２（Ａ）の情報コード読取部を概略的に例示するブロック図であり、図２（Ｃ）は、図２（Ａ）の無線タグ処理部を概略的に例示するブロック図である。
【図３】第１センサ及び第２センサの検知状態と読取処理の切り替えとの関係を説明する説明図である。
【図４】第１実施形態において制御部にてなされる読取機能切替処理の流れを例示するフローチャートである。
【図５】図５（Ａ）は、範囲Ａ内に読取口が位置する場合に読取処理が停止される状態を説明する説明図であり、図５（Ｂ）は、範囲Ｂ内に読取口が位置する場合に読取処理が実施される状態を説明する説明図であり、図５（Ｃ）は、範囲Ｃ内に読取口が位置する場合に読取処理が停止される状態を説明する説明図である。
【発明を実施するための形態】
【００１３】
［第１実施形態］
以下、本発明に係る光学的情報読取装置を具現化した第１実施形態について、図面を参照して説明する。
本実施形態に係る光学的情報読取装置１０は、ユーザによって携帯されて様々な場所で用いられる携帯型の情報端末として構成されており、バーコードや二次元コードなどの情報コードを読み取る情報コードリーダとしての機能に加えて、アンテナを介して送受信される電波を媒介として無線タグに記憶されている情報を読み書きする機能を兼ね備え、読み取りを二方式で行いうる構成となっている。
【００１４】
図１（Ａ），（Ｂ）に示すように、光学的情報読取装置１０は、ＡＢＳ樹脂等の合成樹脂材料により形成される上側ケースおよび下側ケースが組み付けられて構成される長手状の筐体１１によって外郭が形成されている。また、筐体１１の下面１１ａには、下方に向けて開口する読取口１２が形成されている。この読取口１２の近傍には、２つの近接センサ（以下、第１センサ５１及び第２センサ５２ともいう）が設けられている。また、筐体１１の外面のうち下面１１ａに対して反対側の面となる上面１１ｂには、所定の情報を表示するための表示部２４の表示画面や、所定の情報を入力する際に操作されるキー操作部２５のファンクションキーおよびテンキー等が配置されている。また、上面１１ｂのうち表示部２４の表示画面近傍には、ＬＥＤ等からなる発光部２３が配置されている。なお、下面１１ａ及び上面１１ｂは、「一面」及び「他面」の一例に相当し得る。
【００１５】
光学的情報読取装置１０は、図２（Ａ）に示すように、筐体１１内に、光学的情報読取装置１０全体を制御する制御部２１を備えている。この制御部２１は、マイコンを主体として構成されるものであり、ＣＰＵ、システムバス、入出力インタフェース等を有し、メモリ２２とともに情報処理装置を構成している。メモリ２２には、後述する読取機能切替処理や読取処理等を実行するための所定のプログラム等が制御部２１により実行可能に予め格納されている。
【００１６】
また、光学的情報読取装置１０は、発光部２３、表示部２４、キー操作部２５、ブザー２６、外部インタフェース２７等を備えている。キー操作部２５は、制御部２１に対して操作信号を与える構成をなしており、制御部２１は、この操作信号を受けて操作信号の内容に応じた動作を行う。また、発光部２３、表示部２４およびブザー２６は、制御部２１によって制御される構成をなしており、それぞれ、制御部２１からの指令を受けて動作する。外部インタフェース２７は、サーバ等の外部機器との間でネットワーク等を介してデータ通信を行うためのインタフェースとして構成されており、制御部２１と協働して通信処理を行う構成をなしている。また、筐体１１内には、電源部２８が設けられており、この電源部２８やバッテリ２９によって制御部２１や各種電気部品に電力が供給されるようになっている。
【００１７】
また、光学的情報読取装置１０は、情報コード読取部３０、無線タグ処理部４０、第１センサ５１及び第２センサ５２等を備えている。
情報コード読取部３０は、情報コードを光学的に読み取るように機能するもので、図２（Ｂ）に示すように、複数個のＬＥＤやレンズ等から構成される照明部３１、結像レンズ３２、ＣＣＤエリアセンサからなる受光センサ３３などを備えた構成をなしており、制御部２１と協働して読取対象Ｒに付された情報コードＣ（バーコードや二次元コード）を読み取るように機能する。
【００１８】
この情報コード読取部３０を利用した読取処理が制御部２１により行われる場合、まず、制御部２１によって指令を受けた照明部３１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ３２を通って受光センサ３３に受光される。読取口１２と受光センサ３３との間に配される結像レンズ３２は、情報コードＣの像を受光センサ３３上に結像させる構成をなしており、受光センサ３３はこの情報コードＣの像に応じた受光信号を出力する。受光センサ３３から出力された受光信号は、情報コードＣの撮像画像データとしてメモリ２２に記憶され、情報コードＣに含まれる情報を取得するためのデコード処理に用いられるようになっている。なお、情報コード読取部３０には、受光センサ３３からの信号を増幅する増幅回路や、その増幅された信号をデジタル信号に変換するＡＤ変換回路等が設けられているがこれらの回路については図示を省略している。なお、情報コード読取部３０及び制御部２１は、「読取部」の一例に相当し得る。
【００１９】
無線タグ処理部４０は、アンテナ４４および制御部２１と協働して無線タグＴとの間で電磁波による通信を行ない、無線タグＴに記憶されるデータの読取り、或いは無線タグＴに対するデータの書込みを行なうように機能するものである。この無線タグ処理部４０は、公知の電波方式で伝送を行う回路として構成されており、図２（Ｃ）にて概略的に示すように、送信回路４１、受信回路４２、整合回路４３などを有している。
【００２０】
送信回路４１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路４３を介してアンテナ４４に出力している。このようにしてアンテナ４４に送信信号が出力されると、その送信信号が応答要求電波（送信電波）として当該アンテナ４４より外部に放射される。
【００２１】
一方、アンテナ４４によって受信された応答電波（応答信号）は、整合回路４３を介して受信回路４２に入力される。この受信回路４２は、受信部フィルタ、増幅器、復調部、二値化処理部、複号化部などによって構成されており、アンテナ４４を介して応答電波として受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２２】
第１センサ５１は、図１（Ｂ）に示すように、筐体１１の下面１１ａのうち読取口１２の近傍に配置されている。この第１センサ５１は、読取口１２から当該読取口１２に近づけられた物体までの距離が第１の距離Ｌ１以下となる状態（以下、第１近接状態ともいう）を検知する近接センサである。第１センサ５１は、第１近接状態を検知すると、所定の検知信号を制御部２１に出力するように構成されている。
【００２３】
第２センサ５２は、筐体１１の下面１１ａのうち読取口１２の近傍にて第１センサ５１と並ぶように配置されている。この第２センサ５２は、読取口１２から当該読取口１２に近づけられた物体までの距離が上記第１の距離Ｌ１よりも短い第２の距離Ｌ２以下となる状態（以下、第２近接状態ともいう）を検知する近接センサである。第２センサ５２は、第２近接状態を検知すると、所定の検知信号を制御部２１に出力するように構成されている。
【００２４】
本実施形態では、第１センサ５１及び第２センサ５２には、情報コード読取部３０による読み取り可能な距離範囲に応じた検知距離の近接センサが採用されている。具体的には、例えば、情報コード読取部３０による読み取り可能な距離範囲が１０ｃｍ〜３０ｃｍであれば、検知距離（第１の距離Ｌ１）が３０ｃｍ程度となる近接センサが第１センサ５１として採用され、検知距離（第２の距離Ｌ２）が１０ｃｍ程度となる近接センサが第２センサ５２として採用される。
【００２５】
このように構成される光学的情報読取装置１０では、読取作業を行う場合にはトリガ操作等を要することなく自動的に読取処理を開始し、読取作業を行わない場合には自動的に読取処理を停止するため、読取機能切替処理が制御部２１によって行われる。この読取機能切替処理では、第１センサ５１及び第２センサ５２の検知状態を利用して読取作業中であるか否かについて判断することで、読取処理の開始と読取処理の停止とが切り替えられる。
【００２６】
すなわち、図３に示すように、第１センサ５１及び第２センサ５２の検知状態を利用して、読取口１２を向けた情報コードＣまでの距離Ｌに関して、読み取りに適した範囲（第１の距離Ｌ１以下であって第２の距離Ｌ２を超える範囲）を範囲Ｂ、遠すぎる範囲（第１の距離Ｌ１を超える範囲）を範囲Ａ、近すぎる範囲（第２の距離Ｌ２以下となる範囲）を範囲Ｃとしたとき、読取口１２が範囲Ａ〜Ｃのいずれに位置しているかについて判断する。そして、第１センサ５１により第１近接状態が検知されるとともに第２センサ５２が非検知であることから、読取口１２が範囲Ｂ内に位置していると判断される場合には、読取処理を実施（開始）する。その一方で、第１センサ５１が非検知であるか、第２センサ５２により第２近接状態が検知されることから、読取口１２が範囲Ａ又は範囲Ｃ内に位置していると判断される場合には、読取処理を停止する。
【００２７】
以下、本実施形態において、制御部２１にてなされる読取機能切替処理について、図４に示すフローチャート及び図５を参照して詳述する。
キー操作部２５に対して所定の操作がなされることで、制御部２１にて読取機能切替処理が開始されると、まず、図４のステップＳ１０１に示す判定処理がなされ、第１センサ５１の検知状態及び第２センサ５２の検知状態の少なくとも一方に変化があるか否かについて判定される。ここで、読取口１２に近づけられた物体が無く、光学的情報読取装置１０が移動していない場合には、第１センサ５１及び第２センサ５２のいずれも非検知が維持されてその検知状態が変化しないため、上記ステップＳ１０１にてＮｏとの判定が繰り返される。
【００２８】
そして、図５（Ｂ）に例示するように、光学的情報読取装置１０を把持した作業者がその読取口１２を読取対象Ｒに付された情報コードＣに近づけることで、読取口１２から読取対象Ｒまでの距離が第１の距離Ｌ１以下（第２の距離Ｌ２以上）になると、第１センサ５１により第１近接状態が検知される。この場合には、上記ステップＳ１０１に示す判定処理にてＹｅｓと判定された後に、ステップＳ１０３の判定処理にてＹｅｓと判定される。
【００２９】
続いて、ステップＳ１０５の判定処理にて、第２センサ５２により第２近接状態が検知されているか否かについて判定される。ここで、読取口１２から読取対象Ｒまでの距離が第１の距離Ｌ１以下であって第２の距離Ｌ２を超える場合には、第２センサ５２の非検知が維持されるため、上記ステップＳ１０５にてＮｏと判定される。
【００３０】
このように、読取口１２から読取対象Ｒまでの距離が第１の距離Ｌ１以下であって第２の距離Ｌ２を超える場合には、情報コードＣが情報コード読取部３０による読み取り可能な範囲である範囲Ｂ内に位置しているとして、読取処理が開始される（Ｓ１０７）。これにより、照明部３１から照明光Ｌｆが出射されて、読取口１２を介してその反射光Ｌｒを受光した受光センサ３３からの受光信号に応じて撮像画像が生成されて、この撮像画像に対して情報コードＣをデコードするための処理がなされる。
【００３１】
そして、ステップＳ１０９に示す点灯処理がなされ、読取処理が実行されていることを示す所定の点灯状態にて発光部２３が点灯する。
【００３２】
その後、上述のように読取口１２から読取対象Ｒまでの距離が第１の距離Ｌ１以下であって第２の距離Ｌ２を超える状態が維持される場合には、読取作業中であり、第１センサ５１及び第２センサ５２の検知状態が変化しないため、上記ステップＳ１０１にてＮｏとの判定が繰り返される。
【００３３】
そして、図５（Ａ）に例示するように、読取作業を終えた作業者がその読取口１２を情報コードＣから遠ざけることで、読取口１２から読取対象Ｒまでの距離が第１の距離Ｌ１を超えると、第１センサ５１が非検知となり、検知状態が変化する。このため、ステップＳ１０１にてＹｅｓ、ステップＳ１０３にてＮｏと判定されて、情報コードＣが読み取りに関して遠すぎる範囲である範囲Ａ内に位置しているとして、読取処理が停止される（Ｓ１１１）。これにより、照明部３１からの照明光Ｌｆの出射が停止されるとともに、受光センサ３３からの受光信号に応じた撮像画像の生成が停止される。
【００３４】
そして、ステップＳ１１３に示す消灯処理がなされ、読取処理が停止したことを示すため、所定の点灯状態にて点灯していた発光部２３が消灯する。
【００３５】
一方、図５（Ｃ）に例示するように、読取作業を終えた作業者がその読取口１２を情報コードＣ等に近づけることで、読取口１２から読取対象Ｒ等の検知物体までの距離が第２の距離Ｌ２以下になると、第２センサ５２にて第２近接状態が検知されて、検知状態が変化する。また、例えば、読取作業を終えた作業者が、読取口１２を下方に向けた状態で光学的情報読取装置１０を机面等に載置することで、読取口１２から机面等までの距離が第２の距離Ｌ２以下になる場合でも、第２センサ５２にて第２近接状態が検知されて、検知状態が変化する。
【００３６】
この場合には、第１センサ５１により第１近接状態が検知されているため、ステップＳ１０１にてＹｅｓ、ステップＳ１０３にてＹｅｓ、ステップＳ１０５にてＹｅｓと判定されて、情報コードＣが読み取りに関して近すぎる範囲である範囲Ｃ内に位置しているとして、読取処理が停止される（Ｓ１１１）。そして、ステップＳ１１３に示す消灯処理がなされ、読取処理が停止したことを示すため、所定の点灯状態にて点灯していた発光部２３が消灯する。
【００３７】
以上説明したように、本実施形態に係る光学的情報読取装置１０では、読取口１２から当該読取口１２に近づけられた物体までの距離Ｌが第１の距離Ｌ１以下となる第１近接状態を検知する第１センサ５１と、読取口１２から上記物体までの距離が上記第１の距離Ｌ１よりも短い第２の距離Ｌ２以下となる第２近接状態を検知する第２センサ５２とが設けられている。そして、制御部２１にて制御される情報コード読取部３０を利用して、第１センサ５１にて第１近接状態が検知され、かつ、第２センサ５２が非検知である場合（範囲Ｂ参照）には、読取処理が行われ、第１センサ５１が非検知である場合（範囲Ａ参照）、または、第２センサ５２にて第２近接状態が検知される場合（範囲Ｃ参照）には、読取処理が行われない。
【００３８】
これにより、情報コードＣまでの距離Ｌが第１の距離Ｌ１と第２の距離Ｌ２との間となるように（第１の距離Ｌ１以下であって第２の距離Ｌ２を超えるように）その情報コードＣに読取口１２を向けることで、トリガ操作等を要することなく、自動的に読取処理を開始することができる。特に、第１センサ５１及び第２センサ５２として、検知物体までの距離が所定距離以下となる状態を単に検知するような簡素で安価な近接センサを採用することができる。したがって、製造コストの増大や大型化を招くことなく、自動的に読取処理を開始可能な光学的情報読取装置を実現することができる。
【００３９】
特に、筐体１１の外面のうち読取口１２が設けられる下面（一面）１１ａに対して反対側の面となる上面（他面）１１ｂには、読取処理が行われる場合に所定の点灯状態となる発光部２３が設けられる。これにより、読取口１２を情報コードＣに向けている状態であっても、発光部２３の発光状態を見るだけで読取処理が行われているか否かについて容易に把握することができる。なお、発光部２３は、表示部２４の表示画面とキー操作部２５のファンクションキーとの間に配置されることに限らず、上面１１ｂのうち、表示画面側の端部やテンキー側の端部等、光学的情報読取装置１０を把持する利用者から見やすい位置に配置されてもよい。
【００４０】
なお、本発明は上記実施形態等に限定されるものではなく、例えば、以下のように具体化してもよい。
（１）第１センサ５１及び第２センサ５２は、読取口１２の近傍にて並ぶように配置されることに限らず、読取口１２の近傍であれば、例えば、読取口１２を介して対向するように配置されてもよい。
【００４１】
（２）第１センサ５１及び第２センサ５２は、近接センサによって構成されることに限らず、例えば、光電センサなど、検知物体までの距離が所定距離以下となる状態を単に検知するような簡素で安価なセンサによって構成されてもよい。
【００４２】
（３）本発明では、検知距離（第１の距離Ｌ１）が３０ｃｍ程度となる第１センサ５１や検知距離（第２の距離Ｌ２）が１０ｃｍ程度となる第２センサ５２を採用することに限らず、光学的情報読取装置として読み取り可能な距離範囲の上限程度を検知距離とするセンサと下限程度を検知距離とするセンサとを採用することができる。
【００４３】
（４）本発明は、情報コード読取部３０及び無線タグ処理部４０を備える光学的情報読取装置１０に採用されることに限らず、少なくとも情報コードＣを光学的に読み取る情報コードリーダとして機能する携帯端末等に採用されてもよい。また、本発明は、公知の記号認識処理機能（ＯＣＲ）を利用することで文字情報等を光学的に読み取る読取処理を行う光学的情報読取装置に適用されてもよい。
【符号の説明】
【００４４】
１０…光学的情報読取装置
１１…筐体
１１ａ…下面（一面）
１１ｂ…上面（他面）
１２…読取口
２１…制御部（読取部）
２３…発光部
３０…情報コード読取部（読取部）
５１…第１センサ
５２…第２センサ
Ｃ…情報コード
Ｌ１…第１の距離
Ｌ２…第２の距離
【図１】
2020154920.tif 000003
【図２】
2020154920.tif 000004
【図３】
2020154920.tif 000005
【図４】
2020154920.tif 000006
【図５】
2020154920.tif 000007